(57)【要約】【課題】  成形樹脂粉体に混在する異物を除去しつつリザーバから成形樹脂粉体を自動的に効率良く回収することのできる成形樹脂粉体回収装置を提供する。【解決手段】  本発明の成形樹脂粉体回収装置は、成形樹脂粉体６が収容されているリザーバ１にセットされる気密用筒体１０と気密用筒体１０の上部に設けられて内部の空気を吸引してサイクロン装置４に導く捕集管９と上部から下方に向かって延びて成形樹脂粉体６に臨まされかつ気密用筒体１０の内部の空気の吸引に基づく負圧の発生により外部から気密用筒体１０に囲まれている成形樹脂粉体６に外気を案内して成形樹脂粉体６に気流を吹き付ける吹きつけ管１３とを備えた捕集器２と、サイクロン装置４の下方に設けられてサイクロン装置４の遠心力に基づき沈降する成形樹脂粉体６を回収する回収容器３と、サイクロン装置４に連通されかつ捕集管９を介して気密用筒体１０の内部の空気を吸引する吸引装置５とからなる。【選択図】  図１
2005153302.tif 000002
【特許請求の範囲】
【請求項１】
成形樹脂粉体が収容されているリザーバにセットされる気密用筒体と該気密用筒体の上部に設けられて内部の空気を吸引してサイクロン装置に導く捕集管と上部から下方に向かって延びて前記成形樹脂粉体に臨まされかつ前記気密用筒体の内部の空気の吸引に基づく負圧の発生により外部から前記気密用筒体に囲まれている成形樹脂粉体に外気を案内して前記成形樹脂粉体に気流を吹き付ける吹きつけ管とを備えた捕集器と、前記サイクロン装置の下方に設けられてサイクロン装置の遠心力に基づき沈降する成形樹脂粉体を回収する回収容器と、前記サイクロン装置に連通されかつ前記捕集管を介して前記気密用筒体の内部の空気を吸引する吸引装置とからなる成形樹脂粉体回収装置。
【請求項２】
前記気密用筒体の下部開口に異物を捕集する捕集網が設けられていることを特徴とする請求項１に記載の成形樹脂粉体回収装置。
【請求項３】
前記吹きつけ管はその下部が前記成形樹脂粉体を舞い上げる方向に湾曲されていることを特徴とする請求項１又は請求項２に記載の成形樹脂粉体回収装置。
【請求項４】
前記気密用筒体は円錐体形状であり、前記捕集管の吸引口は前記気密用筒体の中心部に設けられ、前記吹きつけ管は前記吸引口を包囲するようにして前記気密用筒体の周辺部に設けられていることを特徴とする請求項１ないし請求項３のいずれか１項に記載の成形樹脂粉体回収装置。
【発明の詳細な説明】
【技術分野】
【０００１】
本発明は、リザーバに収容されている粒状の細かな成形樹脂粉体を成形樹脂粉体に混在する異物から分離して回収することのできる成形樹脂粉体回収装置の改良に関する。
【背景技術】
【０００２】
従来から、成形樹脂粉体（パウダー）を貯留するリザーバを高温に保持された転写用成形金型に衝合させ、リザーバと転写用成形金型とを一体に反転させて、成形用容器の成形樹脂粉体を転写用成形金型に落下させ、転写用成形金型に加えられている熱により樹脂成形粉を溶融させて転写用金型に付着させ、自動車用の表皮等の成形品を製造する成形技術が知られている。
【０００３】
このものでは、転写用成形金型とリザーバとの衝合面に成形樹脂粉体が付着して残り、成形品を何度も製造するうちに、そのリザーバと転写用成形金型との衝合面に付着している樹脂粉が黒く焦げたり、大きな塊となったり、糸を引くように細長くなったりして、これらが成形品の成形過程においてリザーバの中に落下し、異物として成形樹脂粉体の中に混入する。
【０００４】
これらの異物が混入したまま成形を行うと、成形品に巣ができたり、凹凸ができたりして、成形品の外観上の品質が低下するので、成形樹脂粉体に混在する異物を定期的に又は成形工程で連続的に除去するようにしている（例えば、特許文献１参照）。
【特許文献１】特開平１０−１４６８５１号公報
【発明の開示】
【発明が解決しようとする課題】
【０００５】
ところで、リザーバを何度も使用していると、リザーバが汚れ、成形樹脂粉体に混在する異物の量も多くなるため、リザーバを成形装置から取り外し、リザーバに収容されている異物を含んだ成形樹脂粉体をリザーバから取り除き、リザーバを空にして清掃すると共に、異物を含んだ成形樹脂粉体を手作業によりふるいをかけて成形樹脂粉体から異物を取り除くことにより成形樹脂粉体を回収するようにしている。
【０００６】
しかしながら、成形樹脂粉体から異物を除去しつつ回収しなければならないために、手作業による成形樹脂粉体の回収では人手と時間とがかかり、効率的でないという問題がある。
【０００７】
本発明は、上記の事情に鑑みて為されたもので、その目的とするところは、成形樹脂粉体に混在する異物を除去しつつリザーバから成形樹脂粉体を自動的に効率良く回収することのできる成形樹脂粉体回収装置を提供することを目的とする。
【課題を解決するための手段】
【０００８】
請求項１に記載の成形樹脂粉体回収装置は、成形樹脂粉体が収容されているリザーバにセットされる気密用筒体と該気密用筒体の上部に設けられて内部の空気を吸引してサイクロン装置に導く捕集管と上部から下方に向かって延びて前記成形樹脂粉体に臨まされかつ前記気密用筒体の内部の空気の吸引に基づく負圧の発生により外部から前記気密用筒体に囲まれている成形樹脂粉体に外気を案内して前記成形樹脂粉体に気流を吹き付ける吹きつけ管とを備えた捕集器と、前記サイクロン装置の下方に設けられてサイクロン装置の遠心力に基づき沈降する成形樹脂粉体を回収する回収容器と、前記サイクロン装置に連通されかつ前記捕集管を介して前記気密用筒体の内部の空気を吸引する吸引装置とからなることを特徴とする。
【０００９】
請求項２に記載の成形樹脂粉体回収装置は、前記気密用筒体の下部開口に異物を捕集する捕集網が設けられていることを特徴とする。
【００１０】
請求項３に記載の成形樹脂粉体回収装置は、前記吹きつけ管はその下部が前記成形樹脂粉体を舞い上げる方向に湾曲されていることを特徴とする。
【００１１】
請求項４に記載の成形樹脂粉体回収装置は、前記気密用筒体は円錐体形状であり、前記捕集管の吸引口は前記気密用筒体の中心部に設けられ、前記吹きつけ管は前記吸引口を包囲するようにして前記気密用筒体の周辺部に設けられていることを特徴とする。
【発明の効果】
【００１２】
請求項１ないし請求項４に記載の発明によれば、成形樹脂粉体に混在する異物を分離してリザーバから成形樹脂粉体を効率良く自動的に回収できるという効果を奏する。
【発明を実施するための最良の形態】
【００１３】
以下に、本発明に係わる成形樹脂粉体回収装置の実施例を図面を参照しつつ説明する。
【実施例】
【００１４】
図１は本発明に係わる成形樹脂粉体回収装置の概要図を示すものであって、この図１において、符号１はリザーバ、符号２は捕集器、符号３は回収容器、符号４はサイクロン装置、符号５は吸引装置である。
【００１５】
このリザーバ１は成形装置に取り付けられて、所定の個数の成形品の製造に使用された後、成形装置から取り外されたものであり、リザーバ１には塩化樹脂系、ゴム系の成形樹脂粉体６が残存している。その成形樹脂粉体６の粒径は例えば１μｍ程度である。
【００１６】
その成形樹脂粉体６には成形工程により発生する糸状物、黒塊物等の異物７が混在している。黒塊物はリザーバ１の衝合面１ａに付着している成形用樹脂粉体６が成形の繰り返しにより高温に曝されて炭化することにより生じる。この黒塊物は成形の繰り返しにより新たな成形樹脂粉体６が付着して成長し、その粒径が１ｍｍを超えることもある。また、糸状物は転写用成形金型から成形品を取り除くことにより生じた細長い樹脂片が成形を繰り返すうちに成長することにより生じたり、リザーバ１の衝合面に付着している樹脂片が成形中にリザーバ１に落下することにより生じたりする。
【００１７】
吸引装置５はサイクロン装置４に可撓性の連通管８を介して連通され、サイクロン装置４と捕集器２とは捕集管９により連通されている。回収容器３はサイクロン装置４の下部に設けられている。
【００１８】
捕集器２はリザーバ１にセットされる気密用筒体１０を有する。気密用筒体１０はここでは円錐形状とされている。、この気密用筒体１０の上部１１でその中心部には図２に拡大して示すように捕集管９の吸引口１２が設けられている。
【００１９】
その気密用筒体１０には図３に拡大して示すようにその周辺部に吸引口１２を包囲するようにして適宜個数の吹きつけ管１３が設けられている。吹きつけ管１３は上部１１から下方に向かって延在され、その吹きつけ管１３は成形樹脂粉体６の表面層に臨まされている。その吹きつけ管１３は図４に拡大して示すようにバンド１４により束ねられてその取り扱いが容易にされている。
【００２０】
その気密用筒体１０の下部には捕集網１５が設けられている。この捕集網１５は図５に拡大して示すように網の目の大きさが縦横１ｍｍの大きさとされている。ここで、網の目の大きさを１ｍｍ角の正方形状としたのは、１ｍｍ以下の黒塊物は成形中に成形品に混入したとしても外観的に見て異物が付着しているようには見えないからであることと、成形樹脂粉体６の回収効率との兼ね合いを考慮した結果による。
【００２１】
吸引装置５を駆動すると、連通管８、捕集管９を介して気密用筒体１０の内部の空気が図２に示すように吸引される。その結果、捕集器２の内部の気圧が負圧となるが、捕集器２の気圧が外気圧と同じになるように、吹きつけ管１３を介して外部の空気が気密用筒体１０の内部に案内され、気流が成形樹脂粉体６に吹き付けられる。
【００２２】
その結果、成形樹脂粉体６が舞い上げられ、捕集管９を介して空気と共にサイクロン装置４に導かれる。成形樹脂粉体６と共に糸状の異物７、軽い黒塊等の異物７も舞い上げられる。その際、糸状の異物７は捕集網１５に絡まり、糸状の異物７が成形樹脂粉体６から分離される。同様に、１ｍｍ以上の粒径の大きな黒塊物等の異物７は捕集網１５に引っかかり、黒塊等の異物７も成形樹脂粉体６から分離される。
【００２３】
その一方、粒径の小さな成形樹脂粉体６は捕集網１５に邪魔されることなく、網の目を通って捕集管９に吸引される。サイクロン装置４に導かれた成形樹脂粉体６は、サイクロン装置４の遠心力に基づき沈降し、回収容器３に貯留される。
【００２４】
捕集器２はその直下、その近傍の成形樹脂粉体６の残量が少なくなると、図１に矢印Ｆで示すように成形樹脂粉体６内に埋没する方向に移動すると共に、これに伴って、捕集器２の近傍の成形樹脂粉体６が漸次捕集器２内に吸い込まれ、半自動的に成形樹脂粉体６が回収される。その捕集器２内の真下及びその近傍の成形樹脂粉体６の回収があらかた終わったら、捕集器２の近傍に残っている成形樹脂粉体６を寄せ集めるか、あるいは、捕集器２を残っている成形樹脂粉体６の場所に移動させて、再び同じ作業を繰り返す。
【００２５】
尚、前記実施例では、捕集網１５の目の大きさを１ｍｍ角の正方形状としたが、これに限定されるものではなく、異物の大きさに応じて種々の形状、大きさにすることができる。
【００２６】
以上実施例では、吹きつけ管１３は直筒状のものを用いたが、図６に示すように、その吹きつけ管１３の下部を成形樹脂粉体６を舞い上げる方向に湾曲させる構成とすることもできる。また、吹きつけ管１３自体を回転させることにより、成形樹脂粉体６を効率よく舞い上げることができるが、更に、捕集器２自体も共に回動させても良い。
【図面の簡単な説明】
【００２７】
【図１】本発明に係わる樹脂成形粉回収装置の概要を示す図である。
【図２】図１に示す捕集器の詳細構成を示す拡大断面図である。
【図３】図１に示す捕集器の上面図である。
【図４】図２に示す吹きつけ管の部分拡大図である。
【図５】図２に示す捕集網の網目の形状を部分的に示す平面図である。
【図６】図２に示す吹きつけ管の変形例を示す説明図である。
【符号の説明】
【００２８】
１…リザーバ
２…捕集器
３…回収容器
４…サイクロン装置
５…吸引装置
６…成形樹脂粉体
１０…気密用筒体
１３…吹きつけ管
【図１】
2005153302.tif 000003
【図２】
2005153302.tif 000004
【図３】
2005153302.tif 000005
【図４】
2005153302.tif 000006
【図５】
2005153302.tif 000007
【図６】
2005153302.tif 000008